(57)【要約】【課題】感光体ドラムと現像ローラの間の間隔を精度良く維持することが可能な感光体ドラムと現像ローラの支持構造を提供する。【解決手段】感光体ドラム１と現像ローラ２を所定の間隔を以って支持する感光体ドラムと現像ローラの支持構造において、前記感光体ドラム１と前記現像ローラ２を支持する支持部材１０を設け、この支持部材１０が有する突起部１１で、前記感光体ドラム１の非画像域の外周部分を支持する。【選択図】　　　　図１
2004109288.tif 000002
【特許請求の範囲】
【請求項１】
感光体ドラムと現像ローラを所定の間隔を以って支持する感光体ドラムと現像ローラの支持構造において、前記感光体ドラムと前記現像ローラを支持する支持部材を設け、この支持部材が有する突起部で、前記感光体ドラムの非画像域の外周部分を支持することを特徴とする感光体ドラムと現像ローラの支持構造。
【請求項２】
請求項１記載の感光体ドラムと現像ローラの支持構造において、前記支持部材の前記突起部を複数個設け、かつその突起部が半円筒形状であることを特徴とする感光体ドラムと現像ローラの支持構造。
【請求項３】
請求項２記載の感光体ドラムと現像ローラの支持構造において、複数個の前記突起部は、前記感光体ドラムの中心からの距離が等間隔であることを特徴とする感光体ドラムと現像ローラの支持構造。
【請求項４】
請求項２記載の感光体ドラムと現像ローラの支持構造において、複数個の前記突起部間の窪みに弾性部材を設けていることを特徴とする感光体ドラムと現像ローラの支持構造。
【請求項５】
請求項１記載の感光体ドラムと現像ローラの支持構造において、前記支持部材との間で前記感光体ドラムを保持するための保持部材を設け、この保持部材が有する突起部で前記感光体ドラムを保持することを特徴とする感光体ドラムと現像ローラの支持構造。
【請求項６】
請求項５記載の感光体ドラムと現像ローラの支持構造において、前記保持部材をスプリングにより加圧することを特徴とする感光体ドラムと現像ローラの支持構造。
【請求項７】
請求項１、５記載の感光体ドラムと現像ローラの支持構造において、前記突起部がポリアセタール樹脂により形成されていることを特徴とする感光体ドラムと現像ローラの支持構造。
【発明の詳細な説明】
【０００１】
【発明の属する技術分野】
本発明は、電子写真装置における感光体ドラムと現像ローラの支持構造に関するものである。
【０００２】
【従来の技術】
図３は感光体ドラムと現像ローラの間隔を示す図である。感光体ドラム１と現像ローラ２の間には間隔ＰＧが設けられている。
【０００３】
図４は従来例に係る感光体ドラムと現像ローラの支持構造を示す図である。　従来は、感光体ドラム１と現像ローラ２の間隔を維持するため、面板３が有する支持軸４で感光体ドラム１を支持し、軸受け５で現像ローラ２を支持することにより、両者は位置決めされていた。
【０００４】
なおこの種の従来技術として、特許文献１から特許文献６が存在する。
【０００５】
【特許文献１】
特開平０５−２８１８４８号公報
【特許文献２】
特開平０５−３２３７９５号公報
【特許文献３】
特開平１０−０４８９０４号公報
【特許文献４】
特開平１０−１５３９１３号公報
【特許文献５】
特開平１１−０３８７２２号公報
【特許文献６】
特許第０２６３７５１２号公報
【０００６】
【発明が解決しようとする課題】
感光体ドラムと現像ローラの間の間隔を、軸受け等を有した側板で保持し、かつ、前記側板で感光体ドラムと現像ローラの間の間隔を維持する従来の構造では、感光体ドラム及び現像ローラを支持する軸受け等の支持体精度や、側板の軸受け位置精度により、感光体ドラムと現像ローラの間の間隔を精度良く維持することは難しく、画像に濃度むらが発生しやすくなる。
【０００７】
本発明は、それらの不具合を防止するためになされたものであり、感光体ドラムと現像ローラの間の間隔を精度良く維持することが可能な感光体ドラムと現像ローラの支持構造を提供することを目的とするものである。
【０００８】
【課題を解決するための手段】
前記目的を達成するために、請求項１記載の発明は、感光体ドラムと現像ローラを所定の間隔を以って支持する感光体ドラムと現像ローラの支持構造において、前記感光体ドラムと前記現像ローラを支持する支持部材を設け、この支持部材が有する突起部で、前記感光体ドラムの非画像域の外周部分を支持する感光体ドラムと現像ローラの支持構造を最も主要な特徴とする。
【０００９】
請求項２記載の発明は、請求項１記載の感光体ドラムと現像ローラの支持構造において、前記支持部材の前記突起部を複数個設け、かつその突起部が半円筒形状である感光体ドラムと現像ローラの支持構造を主要な特徴とする。
【００１０】
請求項３記載の発明は、請求項２記載の感光体ドラムと現像ローラの支持構造において、複数個の前記突起部は、前記感光体ドラムの中心からの距離が等間隔である感光体ドラムと現像ローラの支持構造を主要な特徴とする。
【００１１】
請求項４記載の発明は、請求項２記載の感光体ドラムと現像ローラの支持構造において、複数個の前記突起部間の窪みに弾性部材を設けている感光体ドラムと現像ローラの支持構造を主要な特徴とする。
【００１２】
請求項５記載の発明は、請求項１記載の感光体ドラムと現像ローラの支持構造において、前記支持部材との間で前記感光体ドラムを保持するための保持部材を設け、この保持部材が有する突起部で前記感光体ドラムを保持する感光体ドラムと現像ローラの支持構造を主要な特徴とする。
【００１３】
請求項６記載の発明は、請求項５記載の感光体ドラムと現像ローラの支持構造において、前記保持部材をスプリングにより加圧する感光体ドラムと現像ローラの支持構造を主要な特徴とする。
【００１４】
請求項７記載の発明は、請求項１、５記載の感光体ドラムと現像ローラの支持構造において、前記突起部がポリアセタール樹脂により形成されている感光体ドラムと現像ローラの支持構造を主要な特徴とする。
【００１５】
【発明の実施の形態】
以下、図面により本発明の実施の形態を詳細に説明する。図１は本発明の実施の形態に係る感光体ドラムと現像ローラの支持構造の正面図、図２は同じく側面図である。
【００１６】
本発明の感光体ドラムと現像ローラの支持構造を構成する部材として、支持部材１０と保持部材１２がある。いずれも半円筒形状の突起部１１、１３を有している。
【００１７】
感光体ドラム１の非画像域部分を支持部材１０の半円筒形状の突起部１１に当接させ、スプリング１４により加圧された保持部材１２で上方からこの感光体ドラム１を保持することで、感光体ドラム１の外径のバラツキや、変型による感光体ドラム１と現像ローラ２の間隔のバラツキをなくすことができる。
【００１８】
また、現像ローラ２は支持部材１０が有する軸受け１５により支持されていることで、中央に配置された半円筒形状の突起部１１の頂点からの距離が維持されている。上記支持部材１０及び保持部材１２に設けられている複数の半円筒形状の突起部１１、１３は耐摩耗性に優れたポリアセタール樹脂により形成されている。また突起部１１は、感光体ドラム１の中心からの距離が等間隔である。
【００１９】
このような構造により感光体ドラム１と現像ローラ２の間の間隔を精度良く維持することが可能となる。さらに、突起部１１間の窪みには、スポンジ等の弾性部材１６を設けることで軸受け１５からのトナーもれを防止できる。
【００２０】
【発明の効果】
以上説明したように、本発明によれば、感光体ドラムと現像ローラを所定の間隔を以って支持する感光体ドラムと現像ローラの支持構造において、前記感光体ドラムと前記現像ローラを支持する支持部材を設け、この支持部材が有する突起部で、前記感光体ドラムの非画像域の外周部分を支持することで、感光体ドラムの外径のバラツキによる感光体ドラムと現像ローラの間隔バラツキをなくすことができる。
【００２１】
また複数個の突起部間の窪みに弾性部材を設けていることで、感光体ドラム面から外部へのトナー流出を防止することができる。
【００２２】
また支持部材との間で感光体ドラムを保持するための保持部材を設け、この保持部材が有する突起部で感光体ドラムを保持することで、より安定した状態で感光体ドラムを支持することができる。
【００２３】
また突起部をポリアセタール樹脂で形成することで、耐摩耗性、摺動性が向上し安定して均一な画像を提供することができる。
【図面の簡単な説明】
【図１】本発明の実施の形態に係る感光体ドラムと現像ローラの支持構造の正面図である。
【図２】同じく側面図である。
【図３】感光体ドラムと現像ローラの間隔を示す図である。
【図４】従来例に係る感光体ドラムと現像ローラの支持構造を示す図である。
【符号の説明】
１　感光体ドラム
２　現像ローラ
１０　支持部材
１１　突起部
１２　保持部材
１３　突起部
１４　スプリング
１５　軸受け
１６　弾性部材
【図１】
2004109288.tif 000003
【図２】
2004109288.tif 000004
【図３】
2004109288.tif 000005
【図４】
2004109288.tif 000006